(57)【特許請求の範囲】
【請求項１】
水道管に接続され蛇口等水栓を開くと量水器等の上流からの水が蓋部材を介してタンク部材の中空部を通過するようされた蓋部材付貯水タンクにおいて、前記タンク部材の中空部に注水されて上昇する水面と中空部内面とで隔室が形成されないようされた中空部の最高所に開口される開口部に、中空体の壁に孔が貫設される継手ベースと、前記孔を囲繞して継手ベースに連結され前記タンク部材開口部に密閉可能かつ着脱可能に接続される連結部と、基端が前記継手ベースの中空部天井面最高部に開口され先端が該継手ベースの外側に突出されて蛇口等水栓に接続される排水路に着脱自在に接続可能とされる筒状の排水管と、基端が前記継手ベースの中空部に開口されて前記孔を介して前記タンク部材の中空部底部に延長可能とされ先端が前記継手ベースの外側に突出されて量水器が接続される給水路に着脱自在に接続可能とされる筒状の給水管と、を備え前記継手ベースの中空部が、前記給水管の延長部基端を収容可能とされると共に接続される前記タンク部材の口天部より上方に存するようされる蓋部材を接続したことを特徴とする貯水タンク。
【請求項２】
水道管に接続され蛇口等水栓を開くと量水器等の上流からの水が蓋部材を介してタンク部材の中空部を通過するようされた蓋部材付貯水タンクにおいて、前記タンク部材の中空部に少なくとも２か所が開口され、中空部に注水されて上昇する水面と中空部内面及び前記水面と中空部内面と前記開口を密閉する蓋部材とで隔室が形成されないようされた中空部最高所に開口される第１開口部と該第１開口部より低所の中空部側面に開口される少なくとも１か所の第２開口部とが設けられ、第１開口部を密閉する第１蓋部材に排水路へ着脱自在に接続され第１蓋部材の天面に開口される排水管を気密的に形成させると共に第２開口部を密閉する第２蓋部材に量水器が接続される給水路へ着脱自在に接続され前記タンク部材の中空部底部に伸びる給水管を気密的に形成したことを特徴とする貯水タンク。
【請求項３】
水道管に接続され蛇口等水栓を開くと量水器等の上流からの水が蓋部材を介してタンク部材の中空部を通過するようされた蓋部材付貯水タンクにおいて、前記タンク部材の中空部に注水されて上昇する水面と中空部内面とで隔室が形成されないようされた中空部最高所に開口される少なくとも２か所の開口の内、一側開口部を密閉可能する給水側蓋部材に量水器が接続される給水路へ着脱自在に接続され前記タンク部材の中空部底部に伸びる給水管と排水路へ着脱自在に接続され該蓋部材の天面最高面に開口される給水側排水管とを気密的に形成すると共に他側開口部を密閉する排水側蓋部材に排水路へ着脱自在に接続され該蓋部材の天面最高面に開口される排水管とを気密的に形成し前記給水側蓋部材の給水側排水管と前記排水側蓋部材の排水管とをパイプで接続して該パイプと排水側蓋部材の配水管との接続位置の方が該パイプと前記給水側蓋部材の給水側排水管との接続位置より高所に接続されて連通されたことを特徴とする貯水タンク。
【請求項４】
飲料水を貯水可能なタンク部材に形成される中空部の最高所に開口される開口部を気密可能且つ着脱可能に接続される蓋部材であって、中空体の壁に孔が貫設される継手ベースと、前記孔を囲繞して継手ベースに連結され前記タンク部材開口部に密閉可能かつ着脱可能に接続される連結部と、基端が前記継手ベースの中空部天井面最高部に開口され先端が該継手ベースの外側に突出されて蛇口等水栓に接続される排水路に着脱自在に接続可能とされる筒状の排水管と、基端が前記継手ベースの中空部に開口されて前記孔を介して前記タンク部材の中空部底部に延長可能とされ先端が前記継手ベースの外側に突出されて量水器が接続される給水路に着脱自在に接続可能とされる筒状の給水管と、を備え前記継手ベースの中空部が、前記給水管の延長部基端を収容可能とされると共に接続される前記タンク部材の口天部より上方に存するようされたことを特徴とする貯水タンク用蓋部材。
【発明の詳細な説明】
【技術分野】
【０００１】  本発明は、貯水タンクに関し、特に、非常時のために水を蓄えておくのに使用して好適な貯水タンクに関する。
【背景技術】
【０００２】  地震等の災害による長期断水の発生時における飲料水確保対策として、水道管に密閉水槽を連結して通常時は密閉水槽内へ水を流しこんで水を貯留させつつ密閉水槽内を通過した水を水道水として利用し、災害時には密閉水槽内の水を利用する循環備蓄貯水槽が知られている（例えば、特許文献１参照）。
ここでの構成によれば、水道管と直列に接続される供給管と密閉水槽及び密閉水槽と吐出し管とは分離できる構造となっていないので非常時に持ち運びができないし、浮子式気弁を必要とするなど装置が大掛かりとなり高価なものとなってしまう。【０００３】  これに対して、キャップを貯水タンクから外すだけで水道管に接続される給水管及び排水管から貯水タンクを分離でき、容易に持ち運び可能とされる貯水タンクを設けた貯水タンクおよび非常用貯水キャップも知られている（例えば、特許文献２参照）。
ここに開示されている発明は、貯水タンクの開口部を密閉可能とされ着脱自在とされるキャップを設け、このキャップを貯水タンクから外すだけで給水配管から貯水タンクを容易に分離可能取としている。また、貯水タンクは一般家庭でもよく利用されているポリタンクなので安価で持ち運びは自在である。
【先行技術文献】
【特許文献】
【０００４】
【特許文献１】  登録実用新案  第３０１７９９１号
【特許文献２】  特開平０８−２８４２１３号
【特許文献３】  実開昭６１−８４７６９号
【発明の概要】
【発明が解決しようとする課題】
【０００５】  しかしながら、上記先行技術には共通する欠点がある。すなわち、水道管の上流から供給される水道水は貯水タンク（又は密閉水槽）内を通過するので蛇口からの放水により貯水タンク内の水道水は新しい水道水によって置換されるとされている。
しかし、特許文献１では、密閉水槽１が満水状態の時に上流側から供給される新しい水に置換されるが密閉水槽から浮子式気弁４に至る水路では図１３（原理図で示す）に示すように浮子式気弁内の浮子９０が水によって押し上げられて通路が遮断されるので密閉水槽１が満水状態の時は該水路内で水が滞留し、水面９１が弁内に閉じ込められた空気と接触しているため空気中の細菌が浮子式気弁内から密閉水槽１と浮子式気弁４を結ぶ水路内の水中に繁殖してくる。断水時に、取水口３を開いて密閉水槽１内の水面が一定以上下降すると浮子式気弁内から密閉水槽１とを結ぶ水路内の水も密閉水槽内に入り当該水路内の細菌も密閉水槽内に入り、やがて取水口から取出されて人の口に入り健康を害す結果となる。【０００６】  同様に、特許文献２では、貯水タンクの開口部を密閉する円板１３を貫通する排水側のパイプ１３ａの貯水タンク内に臨まされる先端が円板１３から突出されているので貯水タンク内に進入した水道水の水面が上昇して排水側パイプ１３ａの貯水タンク内に臨まされる先端に達すると水面と貯水タンク内壁面と円板１３とで形成される隔室の中に空気が閉じ込められて空気溜りができる。この状態で貯水タンク内にさらに進入する水道水は排水側パイプ１３ａを通って貯水タンクから排水されるので閉じ込められた空気中の細菌が空気と接触する水面を介して繁殖する。【０００７】  特許文献３では、可撓ホース５の内径に比べて接続される注入部２の内径の方がかなり大きい上に注入部２の開口面からタンク頂壁面８までの間に筒状の壁面が存することが図面から視認できる。このことから、注入部２の断面積から可撓ホース５から注水される水柱の断面積を差し引いた面積と注入部２の開口面からタンク頂壁面８までの高さとの積で表される空洞が存在することが分かる。したがって、特許文献２と同様に水面の上昇によりこの空洞部に空気溜りが発生する。この結果、空気溜り内の空気中の細菌が水中で時間を経る毎に繁殖する。【０００８】  以上のような背景のもとになされたもので、貯水タンクに注水されて上昇する水面と貯水タンク内壁面及び前記水面と前記内壁面と貯水タンク開口面を密閉する蓋部材との間に隔室が形成されないようにして空気溜りを防止し貯水タンク内水中に細菌が増殖しないようされた蓋付きの持ち運び自在な貯水タンクを提供しようとするものである。
また、蓋部材は貯水タンクとして流用できるよう市販の飲料ボトルに利用可能にして安価な貯水タンクを提供しようとするものである。
【課題を解決するための手段】
【０００９】  本発明の解決しようとする課題は以上の如くであり、次にこの課題を解決するための手段を説明する。【００１０】  請求項１に示す貯水タンクは、水道管に接続され蛇口等水栓を開くと量水器等の上流からの水が蓋部材を介してタンク部材の中空部を通過するようされた蓋部材付貯水タンクにおいて、前記タンク部材の中空部に注水されて上昇する水面と中空部内面とで隔室が形成されないようされた中空部の最高所に開口される開口部に、中空体の壁に孔が貫設される継手ベースと、前記孔を囲繞して継手ベースに連結され前記タンク部材開口部に密閉可能かつ着脱可能に接続される連結部と、基端が前記継手ベースの中空部天井面最高部に開口され先端が該継手ベースの外側に突出されて蛇口等水栓に接続される排水路に着脱自在に接続可能とされる筒状の排水管と、基端が前記継手ベースの中空部に開口されて前記孔を介して前記タンク部材の中空部底部に延長可能とされ先端が前記継手ベースの外側に突出されて量水器が接続される給水路に着脱自在に接続可能とされる筒状の給水管と、を備え前記継手ベースの中空部が、前記給水管の延長部基端を収容可能とされると共に接続される前記タンク部材の口天部より上方に存するようされる蓋部材を接続したことを特徴とする。【００１１】  請求項２に示す貯水タンクは、水道管に接続され蛇口等水栓を開くと量水器等の上流からの水が蓋部材を介してタンク部材の中空部を通過するようされた蓋部材付貯水タンクにおいて、前記タンク部材の中空部に少なくとも２か所が開口され、中空部に注水されて上昇する水面と中空部内面及び前記水面と中空部内面と前記開口を密閉する蓋部材とで隔室が形成されないようされた中空部最高所に開口される第１開口部と該第１開口部より低所の中空部側面に開口される少なくとも１か所の第２開口部とが設けられ、第１開口部を密閉する第１蓋部材に排水路へ着脱自在に接続され第１蓋部材の天面に開口される排水管を気密的に形成させると共に第２開口部を密閉する第２蓋部材に量水器が接続される給水路へ着脱自在に接続され前記タンク部材の中空部底部に伸びる給水管を気密的に形成したことを特徴とする。【００１２】  請求項３に示す貯水タンクは、水道管に接続され蛇口等水栓を開くと量水器等の上流からの水が蓋部材を介してタンク部材の中空部を通過するようされた蓋部材付貯水タンクにおいて、前記タンク部材の中空部に注水されて上昇する水面と中空部内面とで隔室が形成されないようされた中空部最高所に開口される少なくとも２か所の開口の内、一側開口部を密閉可能する給水側蓋部材に量水器が接続される給水路へ着脱自在に接続され前記タンク部材の中空部底部に伸びる給水管と排水路へ着脱自在に接続され該蓋部材の天面最高面に開口される給水側排水管とを気密的に形成すると共に他側開口部を密閉する排水側蓋部材に排水路へ着脱自在に接続され該蓋部材の天面最高面に開口される排水管とを気密的に形成し前記給水側蓋部材の給水側排水管と前記排水側蓋部材の排水管とをパイプで接続して該パイプと排水側蓋部材の配水管との接続位置の方が該パイプと前記給水側蓋部材の給水側排水管との接続位置より高所に接続されて連通されたことを特徴とする【００１３】  請求項４��示す貯水タンク用蓋部材は、飲料水を貯水可能なタンク部材に形成される中空部の最高所に開口される開口部を気密可能且つ着脱可能に接続される蓋部材であって、中空体の壁に孔が貫設される継手ベースと、前記孔を囲繞して継手ベースに連結され前記タンク部材開口部に密閉可能かつ着脱可能に接続される連結部と、基端が前記継手ベースの中空部天井面最高部に開口され先端が該継手ベースの外側に突出されて蛇口等水栓に接続される排水路に着脱自在に接続可能とされる筒状の排水管と、基端が前記継手ベースの中空部に開口されて前記孔を介して前記タンク部材の中空部底部に延長可能とされ先端が前記継手ベースの外側に突出されて量水器が接続される給水路に着脱自在に接続可能とされる筒状の給水管と、を備え前記継手ベースの中空部が、前記給水管の延長部基端を収容可能とされると共に接続される前記タンク部材の口天部より上方に存するようされたことを特徴とする
【発明の効果】
【００１４】  本発明の効果として、以下に示すような効果を奏する。
１、貯水タンク内に空気が溜まらないようにしたので飲料水中の塩素の殺菌力が低下しない。
２、貯水タンク内に空気が溜まらないようにしたので緑藻等の有害菌が残存しない。
３、これにより、貯水タンク内の飲料水は常に水道管内の水道水と同等の清浄度が維持される。
４、非常時は水道管から貯水タンクを離脱させて任意の場所に持ち運び飲用に利用できる。
５、蓋部材を市販飲料ボトルに利用できるようにしたので市販飲料ボトルをタンク部材として転用できるので安価に製作できる。
【図面の簡単な説明】
【００１５】
【図１】  本発明の貯水タンクの第１実施例を示す要部側面図である。
【図２】  本発明の貯水タンクの第２実施例を示す要部側面図。
【図３】  本発明の貯水タンクの第３実施例を示す要部側面図である。
【図４】  本発明の貯水タンクの第４実施例を示す要部側面図である。
【図５】  本発明の貯水タンクの第５実施例を示す要部側面図である。
【図６】  本発明の貯水タンクの第６実施例を示す要部側面図である。
【図７】  本発明の蓋部材のほかの実施例を示す要部断面図である。
【図８】  本発明の蓋部材のさらにほかの実施例を示す要部断面図である。
【図９】  本発明の蓋部材のさらにほかの実施例を示す要部断面図である。
【図１０】  本発明の蓋部材のさらにほかの実施例を示す要部断面図である。
【図１１】  本発明の蓋部材のさらにほかの実施例を示す要部断面図である。
【図１２】  本発明の蓋部材とタンク部材との連結手段のほかの実施例を示す要部断面図である。
【図１３】  従来技術に構成される浮子式気弁の原理を示す要部断面図である。
【発明を実施するための最良の形態】
【実施例１】
【００１６】  本実施例の特徴とするところは、請求項１に係る貯水タンクである。【００１７】  図１を用いて本発明に係る貯水タンクの第１実施例について説明する。
１は中空部に注水されて上昇する水面と中空部内面とで隔室が形成されないようされた容量３リットルの黒色の樹脂製タンク部材６の中空部最高所に開口される開口部を密閉可能かつ着脱可能に接続される蓋部材であって、
中空部１ａの平面視投影面積がタンク部材６の開口部平面視投影面積より大きくされた中空体とされる継手ベース１ｄの下面に貫通孔１ｂが設けられ該貫通孔１ｂを囲繞して継手ベース１ｄに一体的に接続されてタンク部材６の開口部をリング状のシール部材５を介して口部外周面に形成される雄ねじ６ａに下方が開口される中空部１ｃの内周面に刻設される雌ねじ４を螺合させて密閉可能かつ着脱可能に接続される連結部１ｅと、基端が継手ベース１ｄの中空部１ａの天井面最高部に開口され先端が継手ベース１ｄの外側に突出されて蛇口Ｅ等水栓に接続される排水路Ｈに着脱自在に接続可能とされる筒状の排水管３と、基端が継手ベース１ｄの中空部１ａに開口されて貫通孔１ｂを介してタンク部材６の中空部底部に延長可能とされ先端が継手ベース１ｄの外側に突出されて量水器Ｍが接続される給水路Ｐに着脱自在に接続可能とされる筒状の給水管２と、を備え継手ベース１ｄの中空部１ａが、給水管２の延長部基端（延長パイプ７の基端を中空部１ａ内に侵入させることも可）を収容可能とされると共に接続されるタンク部材の口天部６ｃより上方に存して貫通孔１ｂを介してタンク部材６の中空部と連通されて接続されている。【００１８】  以上の構成においてその作用を説明する。
まず、給水管２と量水器Ｍとを閉じられた止水弁Ｗ１が接続された水道管Ｐを介して接続する（量水器Ｍと止水弁Ｗ１の間に逆止弁を入れても良い）と共に排水管３と蛇口Ｅとを閉じられた止水弁Ｗ２が接続された水道管Ｈを介して接続する。
次いで、蛇口Ｅと止水弁Ｗ２を開いた後に止水弁Ｗ１を開くと水道水が水道管Ｐを介して給水管２を通り延長パイプ７を経てタンク部材６の中空部内に供給される。
時間経過するにつれてタンク部材６の中空部内水面が上昇する。水面の上昇に伴ってタンク部材６内の空気は上方に追われ、水面が口天部６ｃを越えるとタンク部材６内から空気が完全に排出され空気は全て蓋部材１に形成される貫通孔１ｂ、中空部１ａに移動させられる。さらに水位が上昇すると空気は排水管３から水道管Ｈを経て蛇口Ｅから排出され、空気を押し出した水道水も蛇口Ｅから排出される。
このようにして、量水器Ｍからタンク部材６を経て蛇口Ｅに至る中空部から完全に空気が排出される作用を果たす。この後、特に水道水の使用の必要が無ければ蛇口Ｅを閉じる。次いで、必要に応じて蛇口Ｅを開くと水道管の上流からの水はタンク部材６を経由して蛇口Ｅから放水される。この際、蛇口Ｅから放水される度にタンク部材６内の水は水道管の上流から供給される新しい水道水に置換され、新鮮状態が維持されるという効果を奏す。【００１９】  災害等により断水状態が生じた場合は、止水弁Ｗ１，Ｗ２を閉じた後、水道管Ｐ，Ｈから外し、所要の場所に止水弁と蓋部材１とが接続されたタンク部材６を運んで利用に備える。（水道管から離脱後、蓋部材１を外して断面コ字状の通常使用されている蓋に交換しても良いことは言うまでもない。）【００２０】  なお、本実施例では水道管に１本の貯水タンクを配設したがこれに限定されるものではない。飲料水の必要備蓄量に応じて貯水タンクの接続数を増やせばよい。この際は量水器Ｍに最も近い１本目の貯水タンクの排水管３と２本目の貯水タンクの給水管２とを２個の止水弁を介して接続し、順次、ｎ本目の貯水タンクの排水管を（ｎ＋１）本目の貯水タンクの給水管に２個の止水弁を介して接続し、ｎ本目の最後の貯水タンクの排水管３を止水弁を介して蛇口側水道管Ｈに接続すればよい。【００２１】  なお、本実施例では給水管２や排水管３と止水弁を別体としたがこれに限定されるものではない。夫々の管に止水弁を一体化させても良いことは言うまでもない。【００２２】 本実施例で用いた蓋部材１は、タンク部材６に形成される開口部の平面視投影面積より大きい平面視投影面積を有す中空部１ａを形成させて貫通孔１ｂを介してタンク部材の中空部６ｂと連通させたので次のような効果がある。
イ）開口部が１箇所しかないボトルにおいて、開口部内径が小さくて一般住宅に配設される水道管と同じ内径の給水管と排水管とを前記開口部に挿入する物理的スペースが無くても中空部１ａの天面に給水管と排水管とを適宜離間させて配設させ給水管だけを前記開口部に挿入させて水道水がタンク部材６の中空部を通過できるようにされているので大量に市販されている飲料入りボトル類を利用できる。
これにより、飲料を飲んだ後のボトルをタンク部材として再利用できるので安価にタンク部材を入手できる。
ロ）市販の１〜２ｌボトルを流用すれば蓋付きの持ち運び自在な貯水タンクを提供できる。
【実施例２】
【００２３】  本実施例の特徴とするところは、実施例１で示した蓋部材の変形例であり、請求項１に係る貯水タンクである。【００２４】  図２を用いて本発明に係る貯水タンクの第２実施例について説明する。
なお、実施例１で使用した部位には同一符号を付し詳細説明を省略する。
１０は大別して蓋部材１１と継手部材１６とが連結されて構成される蓋部材である。詳述すれば、１１は黒色樹脂製の蓋部材であり、天面表面に適宜離間して突設される一対の連結管１２，１３の端面から天面最高面に開口される一対の穴１４，１４に夫々連通する前記穴１４より小径の孔が貫通されると共に内周面に雌ねじ１５が刻設されている。
１６は実施例１と同様にタンク部材６の開口部平面視投影面積より大きい平面視投影面積とされる大径の中空部１６ａを有す筒体の端面と小径の中空部１６ｃを有す筒体の端面とが連通孔１６ｂが貫通された板体を介して連結されて各々の中空部が連通され小径の中空部１６ｃの内面に実施例１で用いたタンク部材６の口部外周面に刻設される雄ねじ６ａに螺合可能な雌ねじ１８が刻設されると共に大径の中空部１６ａを有す筒体の外周面に蓋部材１１に形成される雌ねじ１５に螺合可能な雄ねじ１７が形成される黒色樹脂製の継手部材。１９は弾性を有す樹脂製の延長パイプ。５０は弾性を有すリング状のシール部材。【００２５】  以上の構成においてその作用を説明する。
まず、蓋部材１１に形成される一対の穴１４，１４の一方の穴に延長パイプ１９を圧入した後、その先端を継手部材１６に形成される孔１６ｂに挿通させて、蓋部材１１と継手部材１６とをシール部材５０を介して雌ねじ１５と雄ねじ１７を螺合させると継手部材１６の中空部１６ａの先端開口部が密閉される。
次に、継手部材１６とタンク部材６の口部とをシール部材５を介して雌ねじ１８と雄ねじ６ａを螺合させるとタンク部材６の口部が密閉される。
次に、実施例１と同様に、連結管１２，１３の内、延長パイプ１９が接続された連結管（本例では１２）１２を図示しない量水器Ｍが接続された水道管と接続すると共に排水管とされる連結管１３と図示しない蛇口Ｅが接続された水道管とを接続する。
次いで、実施例１と同様に、止水弁Ｗ１を開くと水道水が水道管Ｐを介して給水管とされる連結部１２に貫通される孔を通り延長パイプ１９を経てタンク部材６の中空部内に供給される。時間経過するにつれてタンク部材６の中空部内水面が上昇する。
水面の上昇に伴ってタンク部材６内の空気は上方に追われ、水面が口天部６ｃを越えるとタンク部材６内から空気が完全に排出され空気は全て継手部材１６に形成される連通孔１６ｂを経て中空部１６ａに移動させられる。さらに水位が上昇すると空気は蓋部材１１に形成される穴１４を経て排水管としての連結管１３から水道管Ｈを経て蛇口Ｅから排出され、空気を押し出した水道水も蛇口Ｅから排出される。
このようにして、実施例１と同様の作用と効果を果たす。【００２６】  実施例２で用いた蓋部材１１は、天面に適宜離間されて開口される一対の穴１４，１４が大径側とされる段付き孔としたので次のような効果がある。
イ）図１１のものに比べて材料が少なく安価に出来る。
ロ）延長パイプが接続される大径穴１４が２個あるので、一方が損傷してももう一方を利用できる。
ハ）段付き孔の大径側が蓋の天面最高所に開口しているので、貯水タンクが多少傾斜されて設置されても直孔に比べて水面とタンク部材の内面と蓋部材１１とで形成される部屋内の空気を逃がせるので隔室が形成されない。
ニ）開口部を２箇所有し口部外周面に雄ねじが刻設されるタンク部材に対して大径穴１４の一方にパイプを接続すれば給水側蓋部材、同穴１４に何も接続しなければ排水側蓋部材として利用できるので汎用性が高い。
ホ）蓋部材１０に設けた中空部１６ａの平面視投影面積がタンク部材６の開口部平面視投影面積より大きくされているので延長パイプ１９の基端と給水管側の連結構造の選択肢が広がる
【実施例３】
【００２７】  本実施例の特徴とするところは、請求項２に係る貯水タンクである。【００２８】  図３を用いて本発明に係る貯水タンクの第３実施例について説明する。
なお、前述実施例で使用した部位には同一符号を付し詳細説明を省略する。
２０はタンク部材２６の中空部の最高所に開口される第１開口部２６ａと側面中央部に開口される第２開口部２６ｂを図示しないリング状のシール部材を介して密閉可能とされ円筒体の一側端面が閉じられた黒色樹脂製蓋部材であり、内周面にタンク部材２６の両開口部外周面に夫々刻設される雄ねじに螺合可能な雌ねじが刻設されると共に天面中央部に開口される大径穴に連通され、該穴より小径の貫通孔を有す管体２０ａが天面と対向する表面に突設される。
４０は管体２０ａと連通される大径穴に着脱自在に圧入されタンク部材２６の中空部底部に伸びる可撓性を有す樹脂製のＬ字状延長パイプ。
２６は中空部の最高所に開口される第１開口部２６ａと中空部側面に設けられる第２開口２６ｂが設けられ該開口部２６ｂは内径が中空部中央部に向けて漸増され軸が水平のテーパー孔を有す円錐状とされ、中空部に注水されて上昇する水面と内壁面との間や上昇する水面と内壁面と蓋部材２０との間に隔室が形成されず空気溜りが生じないようされた開口部が２ヶ所設けられた黒色の樹脂製タンク部材である。なお、２６ｃはタンク部材２６に一体成形される取っ手である。【００２９】  以上の構成においてその作用を説明する。
空気は水より軽いので上方に移動する。このため、低所に存する側面の第２開口部２６ｂ側を給水側として選択し、第２開口部２６ｂを密閉する蓋部材２０の管体２０ａと量水器Ｍとを閉じられた止水弁Ｗ１が接続された水道管Ｐを介して接続すると共に排水側とされる第１開口部２６ａを密閉する蓋部材２０の管体２０ａと蛇口Ｅとを閉じられた止水弁Ｗ２が接続された水道管Ｈを介して接続する。
次いで、実施例１と同様に、止水弁Ｗ１を開くと水道水が水道管Ｐを介して第２開口部２６ｂを密閉する蓋部材２０の給水管としての管体２ａを通り延長パイプ４０を経てタンク部材２６の中空部内に供給される。時間経過するにつれてタンク部材２６の中空部内水面が上昇し第２開口部２６ｂに達すると蓋部材２０の天面は垂直に取付けられていると共に第２開口部２６ｂの天井は図中右上がりに傾斜されているので水面と中空部内壁面と蓋部材２０とで隔室が形成されず空気が溜まることなく水面は上昇する。水面が第１開口部２６ａの蓋部材２０の天面、すなわち、大径穴の開口面に達しても水面と中空部内壁面と蓋部材２０との間に空気溜りが生じない形状とされているのでタンク部材２６の中空部内空気は全て第１開口部２６ａを密閉する蓋部材２０の管体２０ａに移動させられる。さらに水位が上昇すると空気は水道管Ｈを経て蛇口Ｅから排出され、空気を押し出した水道水も蛇口Ｅから排出される。
このようにして、実施例１と同様の作用と効果を果たす。【００３０】  なお、実施例３で用いたタンク部材２６には図１１に示す（ａ）を給水側蓋部材、（ｂ）を排水側蓋部材として利用しても同様の作用と効果がある。しかし、蓋部材２０は、天面最高所に大径側の孔が開口される段付き孔を形成させたので次のような利点がある。
イ）図１１−（ａ）のものに比べて材料が少なく安価に出来る。
ロ）本実施例に示されるように、大径穴１４にパイプを接続すれば給水側蓋部材、同穴１４に何も接続しなければ排水側蓋部材として利用できるので汎用性が高い。（図１１に示す蓋部材を用いると（ａ）は給水側の使用に限定され、（ｂ）も排水側蓋部材への使用に限定され蓋部材の種類が多くなりコストアップする欠点がある）
ハ）段付き孔の大径側が蓋の天面に開口しているので、貯水タンクが多少傾斜されて設置されても直孔に比べて水面とタンク部材の内面と蓋部材とで形成される部屋内の空気を逃がせるので隔室が形成されない。
【実施例４】
【００３１】  本実施例の特徴とするところは、請求項３に係る貯水タンクである。【００３２】  図４を用いて本発明に係る貯水タンクの第４実施例について説明する。
なお、前述実施例で使用した部位には同一符号を付し詳細説明を省略する。
１１は実施例２で用いたものと同じ蓋部材であり、タンク部材４６の中空部上部右側の円筒状口部最高所に開口される開口部を実施例２と同様に図示しないシール材を介して密閉すると共に左側に隣接する円筒状口部最高所に開口される開口部も別の蓋部材１１（以下、給水側と接続される方を給水側蓋部材、排水側と接続される方を排水側蓋部材と記す）により同様に密閉されている。
４６は中空部に注水されて上昇する水面と中空部内面とで隔室が形成されないようされた中空部最高所に開口部が２ヶ所設けられた黒色の樹脂製タンク部材である。
なお、貯水タンク４６の運搬用取っ手の図示は省略する。【００３３】  以上の構成においてその作用を説明する。
まず、給水側蓋部材１１の給水管とされる連結部１２と量水器Ｍとを閉じられた止水弁Ｗが接続された水道管Ｐを介して接続すると共に排水側蓋部材１１の排水管とされる連結部１３と蛇口Ｅとを閉じられた止水弁Ｗが接続された水道管Ｈを介して接続する。
さらに、給水側蓋部材１１の排水管とされる連結部１３と水道管Ｈとを止水弁Ｗを介してパイプＧで接続すると共に排水側蓋部材１１の連結部１２とパイプＧの中央部とを止水弁Ｗを介してパイプＦで接続する。
この際、図で示すように給水側蓋部材１１の排水管１３とパイプＧとの接続位置、パイプＦとパイプＧとの接続位置、排水側蓋部材１１の排水管１３と接続される水道管ＨとパイプＧとの接続位置の順に高所にする。また、給水側蓋部材１１の連結部１３側のパイプＧに絞り弁付きフローメータＫを接続する。
次いで、蛇口Ｅを開いた後に蛇口側止水弁Ｗから上流側に向かって順次開き、最後に量水器Ｍ側止水弁Ｗを開くと水道水が水道管Ｐを介して給水側蓋部材１１の給水管とされる連結部１２を通り延長パイプ１９を経てタンク部材４６の中空部内に供給される。【００３４】  時間経過するにつれてタンク部材４６の中空部内水面が上昇する。
水面が蓋部材１１の天面、すなわち、穴１４の開口面に達すると水面とタンク部材４６の内壁面との間や水面とタンク部材４６の内壁面と蓋部材１１との間に空気溜りが生じない形状とされているのでタンク部材４６の中空部内空気は全て給水側蓋部材１１の穴１４や連結部１３の中空部及び排水側蓋部材１１の穴１４，１４や連結部１２及び連結部１３の中空部に移動させられる。
さらに水位が上昇すると水面は給水側蓋部材１の排水管１３とパイプＧとの接続位置、パイプＦとパイプＧとの接続位置、排水側蓋部材１１の排水管１３と接続される水道管ＨとパイプＧとの接続位置の順に上昇し、空気は排水側蓋部材１１の排水管１３が接続される水道管Ｈを経て蛇口Ｅから排出され、空気を押し出した水道水も蛇口Ｅから排出される。これにより、量水器Ｍからタンク部材４６を経て蛇口Ｅに至る中空部から完全に空気が排出される。【００３５】  ここでは、開口部が上面に２ヶ所設けられたタンク部材４６の給水側開口部に排水管とされる連結部１３を有す蓋部材１１を用いたので、水面とタンク部材４６の内面と蓋部材１１とで形成される中空部内の空気は排水管とされる連結部１３を介して完全に排気されるので隔室は形成されない。【００３６】  次いで、延長パイプ１９を経て供給される水道水の多くを排水側蓋部材１１を経て排水させるために絞り弁付きフローメータＫの絞り弁を絞り、パイプＧ内の流量を減らす。
この際、絞り弁の絞り量に応じて水の流れの勢いが視認できるので水流を止めない程度の流速に設定する。これにより、給水側蓋部材１１の排水管とされる連結部１３からパイプＧを経て水道管Ｈに至る経路の水の滞留を防止できる。【００３７】  なお、事前のテストを行い、パイプＧの内径を小さくしたもので水流を止めないことを確認しておけば該内径の小さいパイプＧを用いればフローメータＫを省略できる。【００３８】  この後、特に水道水の使用の必要が無ければ蛇口Ｅを閉じる。
次いで、必要に応じて蛇口Ｅを開くと水道管の上流からの水はタンク部材４６を経由して蛇口Ｅから放水される。これにより、蛇口Ｅから放水される度にタンク部材４６内の水は水道管の上流から供給される新しい水道水に置換され、新鮮状態が維持される。【００３９】  災害等により断水状態が生じた場合は、実施例１と同様に、水道管Ｐ，Ｈ及びパイプＦ，Ｇから止水弁Ｗを外し、所要の場所に止水弁と蓋部材が接続されたタンク部材４６を運んで利用に備える。
【実施例５】
【００４０】  本実施例の特徴とするところは、実施例４の変形例である。【００４１】  図５を用いて本発明に係る貯水タンクの第５実施例について説明する。
なお、前述実施例で使用した部位には同一符号を付し詳細説明を省略する。
前記実施例４におけるタンク部材の排水側蓋部材に実施例３で用いた蓋部材２０を使用したものである。【００４２】  以上の構成においてその作用を説明する。
まず、給水側蓋部材１１の給水管とされる連結部１２と量水器Ｍとを閉じられた止水弁Ｗが接続された水道管Ｐを介して接続すると共に排水側蓋部材２０の管体２０ａと蛇口Ｅとを閉じられた止水弁Ｗが接続された水道管Ｈを介して接続する。
さらに、給水側蓋部材１１の排水管とされる連結部１３と水道管Ｈを止水弁Ｗを介してパイプＧで接続する。この際も実施例４と同様に、連結部１３とパイプＧとの接続位置より水道管ＨとパイプＧとの接続位置の方を高所にする。
次いで、蛇口Ｅを開いた後に蛇口側止水弁Ｗから上流側に向かって順次開き最後に量水器Ｍ側止水弁Ｗを開くと実施例５と同様に水道水がタンク部材４６の中空部内に供給されて中空部内水面が上昇しタンク部材４６の中空部内空気は全て給水側蓋部材１１の排水管とされる連結部１３及び排水側蓋部材２０の管体２０ａに移動させられる。さらに水位が上昇すると、水面は給水側蓋部材１１の連結部１３とパイプＧとの接続位置、排水側蓋部材２０の管体２０ａと接続される水道管ＨとパイプＧとの接続位置の順に上昇し、実施例５と同様に空気は水道管Ｈを経て蛇口Ｅから排出され、空気を押し出した水道水も蛇口Ｅから排出される。
このようにして、実施例１と同様の作用と効果を果たす。
【実施例６】
【００４３】  本実施例の特徴とするところは、実施例２で用いた貯水タンクと実施例４で用いた貯水タンクを接続したものである。【００４８】  図６を用いて本発明に係る貯水タンクの第６実施例について説明する。
なお、前述実施例で使用した部位には同一符号を付し詳細説明を省略する。
実施例２で示した貯水タンクの給水管とされる連結部１２と実施例４で示した貯水タンクの排水側蓋部材１１の排水管とされる連結部１３とがパイプＪで接続されたものである。【００４４】  以上の構成においてその作用を説明する。
図６のように配管した後、前述同様に、蛇口Ｅを開くと水道水がタンク部材４６の中空部内に供給される。時間経過するにつれてタンク部材４６の中空部内水面が上昇し、ついには、タンク部材４６の中空部内空気は全てパイプＪを通ってタンク部材６側に移動させられる。さらに水道水が供給されると、タンク部材６内の水位が上昇し、全ての空気がタンク部材６に取付けられた蓋部材１１の排水管とされる連結部１３から水道管Ｈを経て蛇口Ｅから排出され、空気を押し出した水道水も蛇口Ｅから排出される。
これにより、実施例１と同様の作用と効果を果たす。【００４５】  なお、上記実施例では実施例２と実施例４の貯水タンクを接続した例を示したが、これに限るものではない。すなわち、実施例１乃至実施例５に示した貯水タンク同士を接続してもよいし実施例１乃至実施例５に示した貯水タンクを組合わせて接続しても良い。
要するに、量水器に接続される最上流側貯水タンクの排水管とその下流側に接続される貯水タンクの給水管とを接続し該貯水タンクの排水管を下流側の貯水タンクの給水管にすることを繰り返し最下流の貯水タンクの排水管を蛇口に接続すれば良い。【００４６】  なお、上記蓋部材１１の実施例では蓋の天面は平面状としたが、これに限るものではない。すなわち、図７に示す蓋部材６０のように、シール部材との当接面６０ａの端から排水管２ｂを貫通する段付き孔の大径穴開口縁を結ぶ凹面６１を形成させても良い。
これにより、貯水タンクが多少傾いて設置されても蓋部材とタンク部材と水面との間の空気を確実に排出できる。【００４７】  同様に、蓋部材２０の変形例として図８に示す蓋部材７０のように、シール部材との当接面７０ａの端から段付き排水孔の大径穴開口縁を結ぶ凹面７１を形成させて天面最高所に開口させても良い。
これにより、貯水タンクが多少傾いて設置されても蓋部材とタンク部材と水面との間の空気を確実に排出できる【００４８】  また、上記実施例の蓋部材は外周壁と底面とが一体成形されたものを示したが、これに限るものではない。すなわち、蓋部材１１の変形例として図９に示すように、蓋部材８０は天面に孔８０ａが貫通されると共に内周面にタンク部材の口部外周面に刻設される雄ねじに螺合可能な雌ねじが刻設されるリングキャップ８１とリングキャップ８１の中空部に収容され外径が前記孔８０ａの内径より大きくされた円板の前記孔８０ａに臨まされる一側端面に適宜離間されて段付き孔が貫通される給水管８２ａと排水管８２ｂとが突設され段付き孔の大径穴が前記一側端面と対向する他側端面に開口される蓋８２と構成されるものでもよい。【００４９】  同様に、蓋部材２０の変形例として、前記リングキャップ８１とリングキャップ８１の中空部に収容され外径が前記孔８０ａの内径より大きくされた円板の前記孔８０ａに臨まされる一側端面中央部に１本の段付き孔が貫通される管体を突出させ大径穴が前記一側端面と対向する他側端面に関口される蓋とで構成されるものでも良い。【００５０】  また、蓋部材に貫通される孔は段付き孔に限られるものではない。すなわち、蓋部材１１の変形例として図１０に示すように、直孔にして給水管側を蓋部材の内部に突出させる一方排水管は天面最高所に開口させる構成にすると給水側蓋部材専用に利用できる。この際は、延長パイプ中空部に給水管の外周面を挿入して接続する。【００５１】  また、蓋部材とタンク部材開口部及び蓋部材と継手部材開口部との連結手段は雄ねじと雌ねじを螺合させる構成としたがこれに限定されるものではない。すなわち、図１２に示すようにタンク部材の口部外周に周設されるフランジと蓋部材の口部外周に周設されるフランジとをシール材を介して気密的に連結しても良い。要するに、蓋部材とタンク部材開口部との接続面に空気溜りが生じないよう気密的に連結される構造であればどのような連結手段でも良い。【００５２】  また、蓋部材やタンク部材は黒色としたがこれに限定されるものではない。すなわち、透明や白色等太陽光を透過させる色でも良い。この際は、太陽光の透過を妨げる黒色のシートで蓋付貯水タンクを覆うか、あるいは暗室に保管するのが好ましい。要するに、貯水タンク内水中に侵入した緑藻菌等の光合成を妨げるよう太陽光を遮光する２次処置をすればどのような色でも良い。【００５３】  また、太陽光を透過させない色又は材質の貯水タンクにすれば屋根上や屋上に設置される太陽熱温水器の集熱部材として利用できるので通常は太陽熱温水器として利用し、非常時は非常用飲用水として利用することができる。
【産業上の利用可能性】
【００５４】  貯水タンクの製造・販売事業や設置事業に利用される。【００６０】
【符号の説明】
【００６１】  １、１１、２０、６０、７０  蓋部材              １ａ  中空部
１ｂ  連通孔 １ｄ  継手ベース
１ｅ  連結部 ２  給水管
３、２ｂ  排水管                ４  雌ねじ
７、１９、３４  延長パイプ      ５、５０  シール部材
６、２６、４６  タンク部材          １６  継手部材
２０ａ  管体              ２６ｃ  取っ手
４０  Ｌ字状延長パイプ
８０  蓋部材              ８１  リングキャップ
８２  蓋                ８２ａ  給水管
８２ｂ  排水管                Ｅ  蛇口
Ｆ、Ｇ、Ｊ  パイプ                Ｋ  フローメータ
Ｍ  量水器                Ｐ  水道管
Ｗ  止水弁
【図１】
0005958854.tif 000002
【図２】
0005958854.tif 000003
【図３】
0005958854.tif 000004
【図４】
0005958854.tif 000005
【図５】
0005958854.tif 000006
【図６】
0005958854.tif 000007
【図７】
0005958854.tif 000008
【図８】
0005958854.tif 000009
【図９】
0005958854.tif 000010
【図１０】
0005958854.tif 000011
【図１１】
0005958854.tif 000012
【図１２】
0005958854.tif 000013
【図１３】
0005958854.tif 000014